(57)【特許請求の範囲】
【請求項１】
液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップとを有し、
前記液体誘導体は、前記開口部に配設された一端部が外力により変形しても復元可能であり、前記タンク内部から前記開口部に亘り外周部を包囲する筒状の保持部材を介して配置され、前記通気孔は、前記保持部材とタンク内壁部とにより、前記開口部外周に形成された液体容器であって、
前記開口部の一部と連続的に形成された液体流入路と、前記液体流入路に流れ込む液体を貯留する液体少量供給部とが設けられ、
前記液体少量供給部は、前記液体流入路よりも前記保持部材に深く凹んで形成され、前記液体誘導体の一端部を押圧した際に溢れる液体を貯留することを特徴とする液体容器。
【発明の詳細な説明】
【０００１】
【発明の属する技術分野】
本発明は、液体容器の構造に関し、特に、タンク内に液体を充填した液体容器に関するものである。
【０００２】
【従来の技術】
通常、化粧品用リムーバや接着剤プライマーなどの液体製品は、単純なタンクとキャップからなる容器に充填されて使用される。
これらの製品を使用する際には、化粧品用リムーバなどの場合は、タンクを傾けて内溶液を直接綿棒やティッシュペーパに含浸させて使用することが多く、また、接着剤プライマーなどでの場合は、小皿などに内溶液を滴下して綿棒やティッシュペーパに含浸させて使用することが多い。
【０００３】
しかしながら、上述した何れの場合でも液量は調整が難しく、かなり過剰の内溶液を消費してしまうという欠点がある。特に、含浸部分の外径が１ｍｍ程度の小型綿棒などを使用して微細な塗布を行なう場合などには、内溶液が過剰に消費されるという問題がある。
【０００４】
また、綿棒などで一部部位の化粧を落とす時などは、綿棒に過剰の液が含浸されると、使用中に液が垂れ落ちたり、綿棒を皮膚に接触して押圧したときに綿棒が圧縮されて液が溢れて垂れ落ちたりするという不具合がある。
【０００５】
【発明が解決しようとする課題】
上記問題点を解決するために、タンク内全体にスポンジなどの吸蔵体を設けた液体を含浸させたものが知られているが、この場合、内溶液の残量が確認できないという問題点があった。
【０００６】
本発明は、上記従来の問題点に鑑みてなされたものであって、綿棒やティッシュペーパなどに自然な毛細管力で吸収できる分量の内溶液を容易に含浸させることができる液体容器を提供することを目的とするものである。
【０００７】
【課題を解決するための手段】
本発明は、液体容器に係り、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップとを有し、前記液体誘導体は、前記開口部に配設された一端部が外力により変形しても復元可能であり、前記タンク内部から前記開口部に亘り外周部を包囲する筒状の保持部材を介して配置され、前記通気孔は、前記保持部材とタンク内壁部とにより、前記開口部外周に形成された液体容器であって、前記開口部の一部と連続的に形成された液体流入路と、前記液体流入路に流れ込む液体を貯留する液体少量供給部とが設けられ、前記液体少量供給部は、前記液体流入路よりも前記保持部材に深く凹んで形成され、前記液体誘導体の一端部を押圧した際に溢れる液体を貯留することを特徴とする液体容器である。
この構成によれば、タンク内より供給される液体は、液体誘導体の毛細管力により吸い上げられる分量となるため、綿棒やティッシュペーパなどを誘導体端部に接触させて綿棒などの毛管力を自然に吸い込ませるか、開口部の液体誘導体端部を押圧することで、その押圧加減に応じて液体誘導体端部に含浸された液体を綿棒やティッシュペーパなどに適量含浸させることができる。
【０００８】
また、本発明は、前記開口部付近に、該開口部に配設された液体誘導体の一端部を押圧した際に溢れる液体を収容する液体少量供給部を設けている。このような構成によると、液体少量供給部に貯溜した所定量の液体を供給できるので、綿棒やティッシュペーパ等に液体を定量的に含浸させることができ、しかも小型の綿棒でも自然な毛細管力により液体を適宜に含浸させることができる。
【０００９】
【発明の実施の形態】
以下、本発明の実施形態を、図面を参照して詳細に説明する。
図１〜図６は、本発明を実施する形態（実施形態）の例であって、図１は、本発明の実施形態に係る液体容器の全体構成を示す側面断面図、図２は前記液体容器に嵌挿される液体誘導体を保持する保持部材の構成を示す側面断面図、図３は図２のＢ矢視図、図４は前記保持部材の中栓部近傍の構成を示す部分詳細断面図、図５は前記液体誘導体からの液体供給時の内溶液を取り出す操作を示す部分詳細断面図、図６は前記液体誘導体から所定量の内溶液を取り出した状態を示す部分詳細断面図である。
【００１０】
実施形態の液体容器４０１は、図１に示すように、内部に中空部４０３ａを構成し内溶液２を収容するようにした円筒状のタンク４０３と、該タンク４０３の一部より円筒状に突設された液体供給部４０４とを備え、該液体供給部４０４の先端部に前記タンク４０３内部と外部とを連通する開口部４０５を形成し、前記タンク４０３内部から前記開口部４０５に亘り連続的に液体誘導体６を配設して、該タンク４０３内の内溶液２を前記開口部４０５付近まで毛細管力により吸い上げるように構成したものである。
【００１１】
前記開口部４０５近傍には、該開口部４０５および後述する開口部４０５近傍に形成される通気孔４０８を覆うようにキャップ４０７が着脱自在に嵌合装着されている。
【００１２】
前記液体誘導体４０６は、多数の合成繊維束により略円柱状に構成され、前記開口部４０５付近に配設された先端部４０６ａが外力により変形しても復元可能に構成されている。また、前記液体誘導体４０６は、略円柱状の外周部を包囲する筒状の保持部材４０９を介して前記タンク４０３内のタンク底部４０３ｂ近傍から前記開口部４０５に亘り配設されている。
【００１３】
前記保持部材４０９は、図１、図２に示すように、前記液体供給部４０４の先端部４０４ａよりタンク底部４０３ｂ近傍に亘り略直線に延設され、特に先端部４０４ａに位置する部分は、該先端部４０４ａの開口部分と嵌合される寸法で構成され、その上部には先端部４０４ａの開口部分より大径で段付き状に中栓部４０９ａが形成されている。
【００１４】
前記保持部材４０９の壁部内には、タンク４０３内部に配置される筒状部分を通って前記中栓部４０９ａの上面に亘り、タンク４０３内部と外部とを連通する通気孔４０８が形成されている。前記通気孔４０８の前記中栓部４０９ａ上面の開口部４０８ａは、図３に示すように、該中栓部４０９ａの略中央部に形成された開口部４０５近傍に開口形成されている。
また、前記通気孔４０８のタンク４０３内部への開口部４０８ｂは、該タンク４０３内部の上部寄りに開口形成されている。
【００１５】
前記通気孔４０８を通ってタンク３内部を外部に通気することで、タンク４０３内部の圧力が変動した場合、例えば、タンク４０３内部の内溶液が減少してタンク４０３内部の圧力が低下した場合に、前記通気孔４０８を介して減少した内溶液の分量だけ外部の空気をタンク４０３内部に取り込んで、タンク３内部の圧力を一定に保つようにしている。
【００１６】
前記開口部４０５付近には、図３に示すように、平面視で該開口部４０５の一部と連続的に形成されるとともに該開口部４０５の内周より中栓部４０９ａ内側に湾入して形成され、且つ該中栓部４０９ａ上面より内部に凹んだ液体少量供給部４２０が形成されている。
【００１７】
前記液体少量供給部４２０は、図４に示すように、開口部４０５に配置される液体誘導体４０６の先端部４０６ａの上端面より中栓部４０９ａ内部に深く切り欠かれ且つ前記開口部４０５の一部と連続的に形成された液体流入路４２１と、前記液体流入路４２１よりも中栓部４０９ａ内部に深く凹んで形成され、該液体流入路４２１に流れ込む内溶液２を貯溜するための貯溜部４２２が形成されている。
【００１８】
次に、実施形態に係る液体容器４０１の作用について図面を参照して詳細に説明する。
液体容器４０１内に内溶液２が充填されている状態では、図１、図４に示すように、液体誘導体４０６の毛細管力により常に液体誘導体４０６の先端部４０６ａまで内溶液２が含浸されている。
【００１９】
タンク４０３内の内溶液２を使用する場合、図５に示すように、まず、開口部４０５内に露出している液体誘導体４０６の先端部４０６ａに棒体３０を押し付けて開口部４０５内部に向かい変形させる。すると、先端部４０６ａは棒体３０の押圧により圧縮変形し、内部に含浸された内溶液２が先端部４０６ａの上側に押し出され、開口部４０５に隣接し且つ連通して設けられた液体流入路４２１を通って貯溜部４２２に流れ込む。
【００２０】
その後、図６に示すように、棒体３０による押圧をやめて先端部４０６ａから離間させると、先端部４０６ａは弾性力により元の形状に復元する。その際、先端部４０６ａと接している内溶液２は再び先端部４０６ａより液体誘導体４０６に吸収されるが、貯溜部４２２に流入した内溶液２ａは先端部４０６ａに接していないため、液体誘導体４０６に吸収されることなく一定量が貯溜部４２２内に貯溜される。
【００２１】
内溶液２ａを使用するときは、前記貯溜部４２２に溜まった内溶液２ａを細い綿棒等の毛細管力を有するものに適量含浸させて使用する。
【００２２】
ここで、前記液体誘導体４０６においては、貯溜部４２２に貯溜されて減少した分の内溶液２ａは、速やかに毛細管力によりタンク４０３内部から吸い上げられて補給され所定の含浸量に戻る。こうして、前記液体誘導体４０６は、次の内溶液２の供給に備えることができる。
【００２３】
一方、タンク４０３内部においては、貯溜部４２２に貯溜された分量の内溶液２が減少するためタンク４０３内部の圧力が低下するが、通気孔４０８を介してタンク内で減少した容積分の空気が外部より供給されてタンク４０３内部の圧力は一定に保たれる。
【００２４】
以上のように、実施形態を構成したので、液体容器４０１によれば、内溶液を供給する開口部４０５近傍に液体少量供給部４２０を設けたことで、液体誘導体４０６から直接内溶液２を供給できるだけでなく、該液体少量供給部４２０の貯溜部４２２により精密に内溶液２を貯溜して定量的に供給できるので、綿棒２０やティッシュペーパ等に内溶液２を定量的に含浸させることができる。しかも、内溶液２が貯溜部４２２に取り置きされているので、小型の綿棒でも自然な毛細管力により液体を適宜に含浸させることができる。
【００２５】
尚、実施形態においては、液体誘導体４０６の構成や材質、通気孔４０８の構成などに限定されるものではない。
【００２６】
また、本実施形態では、液体誘導体を多数の合成繊維束により略円柱状に構成しているが、本発明は、液体誘導体の構成に限定されるものではなく、例えば、液体誘導体を繊維束棒状体やスポンジなどの多孔質体により構成したものであってもよい。
【００２７】
【発明の効果】
以上、説明したように本発明に記載の液体容器によれば、簡単な構成で、綿棒やティッシュペーパなどに、過剰に供給すること無く、自然な毛細管力で吸収できる分量の内溶液を容易に含浸させることができるという優れた効果を奏する。
【００２８】
詳しくは、本発明によれば、液体容器において、液体を収容するタンクと、前記タンク内部と外部とを連通する開口部と、前記タンク内部から前記開口部に亘り連続的に配設されて該タンク内の液体を前記開口部付近まで毛細管力により吸い上げることができる液体誘導体と、前記タンク内部と外部とを通気する通気孔と、前記タンク内の液体の揮発を防止するキャップとを有することで、タンク内より供給される液体は、液体誘導体の毛細管力により吸い上げられる分量となるため、綿棒やティッシュペーパなどで開口部の液体誘導体端部を押圧することで、その押圧加減に応じて液体誘導体端部に含浸された液体を綿棒やティッシュペーパなどに適量含浸させることができる。
【００２９】
また、本発明によれば、前記液体誘導体の構成を、前記開口部に配設された一端部が外力により変形しても復元可能とすることで、液体誘導体の端部を変形させて含浸された液体を押し出すことができ、繰り返し使用することができる。
また、本発明によれば、前記通気孔を前記開口部近傍に形成することで、キャップにより開口部を密閉する際に通気孔を同時に密閉することができ、密閉状態を確実にすることができる。
【００３０】
また、本発明によれば、前記液体誘導体を前記タンク内部から前記開口部に亘り外周部を包囲する筒状の保持部材を介して配設し、前記通気孔を前記保持部材とタンク内壁部とにより形成することで、タンクと開口部とを簡単な構成で形成でき、かつ組立て作業を容易にして、しかも確実に通気孔を構成することができる。
【００３１】
また、本発明によれば、前記開口部付近に、該開口部に配設された液体誘導体の一端部を押圧した際に溢れる液体を収容する液体少量供給部を設けることで、液体少量供給部に貯溜した所定量の液体を供給できるので、綿棒やティッシュペーパ等に液体を定量的に含浸させることができ、しかも小型の綿棒でも自然な毛細管力により液体を適宜に含浸させることができる。
以上のような顕著な効果を奏する。
【図面の簡単な説明】
【図１】  本発明の実施形態に係る液体容器の全体構成を示す側面断面図である。
【図２】  前記液体容器に嵌挿される液体誘導体を保持する保持部材の構成を示す側面断面図である。
【図３】  図２のＢ矢視図である。
【図４】  前記保持部材の中栓部近傍の構成を示す部分詳細断面図である。
【図５】  前記液体誘導体からの液体供給時の内溶液を取り出す操作を示す部分詳細断面図である。
【図６】  前記液体誘導体から所定量の内溶液を取り出した状態を示す部分詳細断面図である。
【符号の説明】
４０１  液体容器
２  内溶液
２ａ  （貯溜部に流入した）内溶液
４０３  タンク
４０４  液体供給部
４０５  開口部
４０６  液体誘導体
４０７  キャップ
４０８  通気孔
４０９  保持部材
３０  棒体
４２０  液体少量供給部
４２１  液体流入路
４２２  貯溜部
【図１】
0004179808.tif 000002
【図２】
0004179808.tif 000003
【図３】
0004179808.tif 000004
【図４】
0004179808.tif 000005
【図５】
0004179808.tif 000006
【図６】
0004179808.tif 000007